(57)【要約】      （修正有）【課題】装着した外装パネルに負圧が掛かっても捲れず剥がれない強固な留め金具の取付片を備える胴縁と留め金具の構造を提供する。【解決手段】外壁本体１に設けられる外装パネル２用の胴縁３と留め金具４に関し、前記留め金具４の底面１０の外側に、外装パネル２を挟込んでネジ３１により留め金具４の底面１０に螺合して押付けて固着する取付片２１を備え、この取付片２１は留め金具４と同幅で留め金具４に平行な略矩形の挟込部２１ａと、留め金具４から突起して挟込部２１ａの一辺と固着する突起部２１ｂとからなる。そして、前記留め金具４の底面１０に前記ネジ３１用の穿孔穴３１ａを設け、この穿孔穴３１ａに対向して取付片２１の挟込２１ａ部に前記ネジ３１用の差込穴３１ｂを設ける。【選択図】図１
2006152579.tif 000002
【特許請求の範囲】
【請求項１】
建築物の外壁本体に設けられる外装パネル用の胴縁と留め金具の構造であって、
前記胴縁は屋外側に開口を有する底面と２側面とからなる断面コ字状の長尺材で、両開口端部には開口内部に向けてストッパーが立設され、
前記留め金具は底面と２側面とからなる断面コ字状の短尺材で、前記胴縁の長手方向の任意の位置に前記留め金具を嵌着するように、前記留め金具の両側面には、前記胴縁の対向するストッパー間の隙間から前記留め金具を前記胴縁の内部に挿入する際にストッパーを介して前記胴縁の両側面を徐々に弾性的に押し広げるガイド面と、前記留め金具を胴縁内に挿入した際に屋内側からストッパーに係止させる係止面とを備えた係止突起を突設するとともに、
前記留め金具の底面の外側に、外装パネルを挟込んでネジにより留め金具の底面に押付けて固着する取付片を備え、この取付片は留め金具と同幅で留め金具に平行な略矩形の挟込部と、留め金具から突起して挟込部の一辺と固着する突起部とからなり、
前記留め金具の底面に前記ネジ用の穿孔穴を設け、この穿孔穴に対向して取付片の挟込部に前記ネジ用の差込穴を設けることを特徴とする外装パネル用の胴縁と留め金具の構造。
【請求項２】
請求項１に記載の外装パネル用の胴縁と留め金具の構造であって、前記留め金具に設けられる取付片の挟込部のネジ用の差込穴の周囲が凹状リブ構造（取付片から見て凹状）であることを特徴とする外装パネル用の胴縁と留め金具の構造。
【請求項３】
請求項１又は請求項２に記載の建築物の外壁本体に設けられる外装パネル用の胴縁と留め金具の構造であって、
前記留め金具の両側面は複数のスリットにより分割されて不撓側面部と可撓側面部に区分され、この可撓側面部は不撓側面部よりも断面コ字状の内部側に傾斜するとともにその先端部が不撓側面部の先端部よりも突出して形成されることを特徴とする外装パネル用の胴縁と留め金具の構造。
【請求項４】
請求項１乃至請求項３に記載の外装パネル用の胴縁と留め金具の構造であって、前記可撓側面部の先端部は留め金具の底面に略平行な接触面を備えることを特徴とする外装パネル用の胴縁と留め金具の構造。
【請求項５】
請求項１乃至請求項４に記載の外装パネル用の胴縁と留め金具の構造であって、前記胴縁の両開口端部の開口内部に向けて立設されるストッパーは、両開口端部に直角に立設されるリップとリップ先端部から底面に向けて突設するフランジとからなることを特徴とする外装パネル用の胴縁と留め金具の構造。
【発明の詳細な説明】
【技術分野】
【０００１】
本発明は、外装パネル用の胴縁と留め金具の構造に関し、特に外装パネルが台風等の強風によって負圧になり剥がれることがないように外壁に確実に取付ける技術に関する。
【背景技術】
【０００２】
従来、外装パネルを建築物の外壁本体に取付けるための胴縁は、加工性や取付けが容易であるとの理由から主として木材が使用され、外装パネルの胴縁への取付けに関しては多くの場合釘が使用されている。
【０００３】
この場合、釘頭が露出しているので錆びが発生しやすいため、外装パネルが不燃性で耐久性を持ち合わせていても建物全体としては耐久性が劣るという問題があった。さらに、木材の経年変化による劣化が避けられず、木材の反りや腐朽が生じ易いという欠点があるため、固定釘が浮き上がり外装パネルが脱落することがあった。
【０００４】
これらの問題点を解決するために、特許文献１の記載が知られている。特許文献１によれば、図９、図１０に示すように、建築物の外壁本体６１に外装パネル６２用の胴縁６３と留め金具６４が設けられ、胴縁６３は屋外側に開口を有する断面構造で、釘６５によって胴縁６３の取付部６６を貫き外壁本体６１に固定される。
【０００５】
留め金具６４の正面部６７の両側には係合部６９が設けられ、係合部６９は胴縁６３の嵌合部６８に挿入される。このとき、係合部６９は少し外側に開くように設けられている。
【０００６】
このため、留め金具６４は係合部６９が胴縁６３の嵌合部６８に弾性的に挿入収容されるので、大きな外力が加えられなければ胴縁６３に固着した状態を保持することができるが、留め金具６４を引張れば胴縁６３内を嵌合部６８に沿って自由にスライドさせることができる。
【０００７】
ここで、留め金具６４には、支持片７０が係合部６９と反対側に突出して設けられ、支持片７０には上支持片７１と下支持片７２とを備え、この上支持片７１と下支持片７２によって上下の外壁パネル６２が支持される。
【０００８】
このように、留め金具６４は、胴縁６３の中を上下に自由にスライドすることができるので、留め金具６４を外装パネル６２に合わせて任意の位置に取付けることができて外装パネルの脱落もなくなる。
【特許文献１】実開平５−３５９４４号公報
【発明の開示】
【発明が解決しようとする課題】
【０００９】
建物外壁を形成するときには、一般に実部（雄実、雌実）を上下端に設けた外装パネルが用いられ、最初に下側の外装パネルを留め金具を介して胴縁に取付けた後に、下側の外装パネル上に上側の外装パネルを実部を合わせて載せ、順次外装パネルを取付けるという作業がおこなわれる。
【００１０】
ところが、上述の外装パネルの胴縁への取付け構造では、留め金具を胴縁に装着するのに、胴縁の長さ方向の端部から留め金具を挿入しなければならない。
【００１１】
そして、作業者は、それぞれの外装パネルの取付け毎に、外装パネルの配置箇所から離れて胴縁の長さ方向の端部がある高所まで移動して胴縁内に留め金具を挿入しなくてはならないので、大変作業効率が悪い。
【００１２】
このため、すでに提案している考えであるが、胴縁の長さ方向の任意の箇所で留め金具を胴縁に簡単に装着可能にし、外装パネルの取付けの作業性が向上する外装パネル用の胴縁と留め金具がある。
【００１３】
その構成は、図１１(ａ)、(ｂ)に示すように、「図示しないストッパー付きの屋外側に開口する断面がコ字状の胴縁８０と係止突起８１付きの屋内側に開口する断面がコ字状の留め金具８２とで構成される。そして、係止突起８１は、留め金具８２を胴縁８０の内部に挿入していく際にストッパーを徐々に弾性的に押し広げるガイド面８３と、留め金具８１を胴縁８０内に挿入した際にストッパーに屋内側から係止させる係止面８４を備えている。」。
【００１４】
さらに、「留め金具８２の底面８４の外側に取付片８５を備え、この取付片８５は留め金具８２の略１／２幅で底面８５を切起して形成される。そして、外装パネル８６の被取付片８７は取付片８５に挟み込まれるとともにビス等の固着具８８によって被取付片８７と取付片８５は固着される。」。
【００１５】
この構成であれば、留め金具８２を胴縁８０の長さ方向の任意位置で押し込んで装着してから所定の場所までスライドすることができる。
【００１６】
しかしながら、図１１（ｃ）に示すように、外装パネル８６表面に負圧がかかると、留め金具８６の取付片８５は外装パネル８６の被取付片８７とともに、捲れて剥がれてしまうという問題があった。
【００１７】
そこで、本発明は、胴縁の長さ方向の任意位置で装着できてスライドできる留め金具であるとともに、装着した外装パネルの表面に負圧が掛かっても捲れず剥がれない外装パネル用の胴縁と留め金具の構造を提供することを目的とする。
【課題を解決するための手段】
【００１８】
請求項１の発明は、建築物の外壁本体に設けられる外装パネル用の胴縁と留め金具の構造であって、前記胴縁は屋外側に開口を有する底面と２側面とからなる断面コ字状の長尺材で、両開口端部には開口内部に向けてストッパーが立設され、前記留め金具は底面と２側面とからなる断面コ字状の短尺材で、前記胴縁の長手方向の任意の位置に前記留め金具を嵌着するように、前記留め金具の両側面には、前記胴縁の対向するストッパー間の隙間から前記留め金具を前記胴縁の内部に挿入する際にストッパーを介して前記胴縁の両側面を徐々に弾性的に押し広げるガイド面と、前記留め金具を胴縁内に挿入した際に屋内側からストッパーに係止させる係止面とを備えた係止突起を突設するとともに、
前記留め金具の底面の外側に、外装パネルを挟込んでネジにより留め金具の底面に押付けて固着する取付片を備え、この取付片は留め金具と同幅で留め金具に平行な略矩形の挟込部と、留め金具から突起して挟込部の一辺と固着する突起部とからなり、前記留め金具の底面に前記ネジ用の穿孔穴を設け、この穿孔穴に対向して取付片の挟込部に前記ネジ用の差込穴を設けることを特徴としている。
【００１９】
この外装パネル用の胴縁と留め金具の構造であれば、前記胴縁の対向するストッパー間の隙間から前記留め金具を前記胴縁の内部に挿入して、前記留め金具の係止突起と胴縁のストッパーとを係止できる。
【００２０】
さらに、前記留め金具の底面の外側に、留め金具と同幅で留め金具に平行な略矩形の挟込部を持つ取付片を備え、この取付片によって外装パネルを挟込んで固着することができる。
【００２１】
また、留め金具の底面に前記ネジ用の穿孔穴を設け、この穿孔穴に対向して取付片の挟込部に前記ネジ用の差込穴を設けるので、外装パネルを留め金具の底面と取付片の挟込部（留め金具の幅と同幅）との間にネジで密着して固定することができる。
【００２２】
請求項２の発明は、請求項１に記載の外装パネル用の胴縁と留め金具の構造であって、前記留め金具に設けられる取付片の挟込部のネジ用の差込穴の周囲が凹状リブ構造（取付片から見て凹状）であることを特徴としている。
【００２３】
このため、取付片の強度を増すことができる。
【００２４】
請求項３の発明は、請求項１又は請求項２に記載の建築物の外壁本体に設けられる外装パネル用の胴縁と留め金具の構造であって、前記留め金具の両側面は複数のスリットにより分割されて不撓側面部と可撓側面部に区分され、この可撓側面部は不撓側面部よりも断面コ字状の内部側に傾斜するとともにその先端部が不撓側面部の先端部よりも突出して形成されることを特徴としている。
【００２５】
この外装パネル用の胴縁と留め金具の構造であれば、可撓側面部は不撓側面部よりも断面コ字状の内部側に傾斜するとともにその先端部が不撓側面部よりも突出して形成されるので、前記可撓側面部の先端部が前記胴縁の底面に押し当てられることで可撓側面部が撓んで前記係止突起が前記ストッパーに弾性的に押し当てられる。
【００２６】
請求項４の発明は、請求項１乃至請求項３に記載の外装パネル用の胴縁と留め金具の構造であって、前記可撓側面部の先端部は留め金具の底面に略平行な接触面を備えることを特徴としている。
【００２７】
この外装パネル用の胴縁と留め金具の構造であれば、前記可撓側面部の先端部の接触面が胴縁の底面に対して面接触することができる。
【００２８】
請求項５の発明は、請求項１乃至請求項４に記載の外装パネル用の胴縁と留め金具の構造であって、前記胴縁の両開口端部の開口内部に向けて立設されるストッパーは、両開口端部に直角に立設されるリップとリップ先端部から底面に向けて突設するフランジとからなることを特徴としている。
【００２９】
この外装パネル用の胴縁と留め金具の構造であれば、フランジが突設されるので、ストッパーの強度を補強することができる。
【発明の効果】
【００３０】
請求項１の発明によれば、前記胴縁の対向するストッパー間の隙間から前記留め金具を前記胴縁の内部に挿入して、前記留め金具の係止突起と胴縁のストッパーとを係止できる。
【００３１】
そのため、留め金具を胴縁の長さ方向の任意位置で装着できて、所定の位置までスライドできる。
【００３２】
さらに、前記留め金具の底面に前記ネジ用の穿孔穴を設け、この穿孔穴に対向して取付片の挟込部に前記ネジ用の差込穴を設けるので、外装パネルを留め金具の底面と取付片の挟込部（留め金具の幅と同幅）との間にネジで密着して固定することができる。
【００３３】
そのため、装着した外装パネルに負圧が掛かっても外装パネルが捲れず剥がれることがない。
【００３４】
請求項２の発明によれば、取付片の強度を増すことができるので、装着した外装パネルに負圧が掛かっても、確実に外装パネルが捲れず剥がれることがなく信頼性が向上する。また、凹状リブ構造はネジの螺合時に座金の役目も果たすので、ネジによる締め付け効果が向上する。
【００３５】
請求項３記載の発明によれば、前記可撓側面部の先端部が前記胴縁の底面に押し当てられることで可撓側面部が撓んで前記係止突起が前記ストッパーに弾性的に押し当てられる。
【００３６】
そのため、留め金具が胴縁の長さ方向の任意位置で装着できるとともに、胴縁に精度誤差が生じても留め金具がガタツクことなく安定して外装パネル用を保持することができる。
【００３７】
請求項４記載の発明によれば、前記可撓側面部の先端部は胴縁の底面に対して（線接触ではなく）面接触することができる。
【００３８】
そのため、胴縁に精度誤差が生じても、留め金具を胴縁に安定して保持できるので外装パネル用が安定して取付けられる。
【００３９】
請求項５の発明によれば、フランジが突設されるので、ストッパーの強度を補強することができる。
【００４０】
そのため、留め金具を胴縁に安定して保持することができて外装パネルが安定して取付けられる。
【発明を実施するための最良の形態】
【００４１】
＜外装パネル用の胴縁と留め金具の構成
以下に、本発明の実施形態を図１〜図５に基づいて説明する。
【００４２】
図１、図２に示すように、本発明の建築物の外壁本体１に設けられる外装パネル２用の胴縁３と留め金具４は、前記胴縁３は屋外側に開口３ａを有する底面５と２側面６とからなる断面コ字状の長尺材で、両開口端部７には開口内部に向けてストッパー８が立設される。
【００４３】
このストッパー８は、両開口端部７に直角に取付けられるリップ８ａとしての短辺と、このリップ８ａの先端部から側面６に平行で底面５に向けて設けられるフランジ８ｂとで形成される。
【００４４】
そして、前記留め金具４は底面１０と２側面１１とからなる断面コ字状の短尺材で、前記胴縁３の長手方向の任意の位置に前記留め金具４を嵌着するように、前記留め金具４の両側面１１には係止突起１４が突設して設けられる。
【００４５】
この係止突起１４は、前記胴縁３の対向するストッパー８間の隙間（開口３ａ）から前記留め金具４を前記胴縁３の内部に挿入する際にストッパー８を介して前記胴縁３の両側面６を徐々に弾性的に押し広げる曲面のガイド面１２と、前記留め金具４を胴縁３内に挿入した際に屋内側からストッパー８に係止させる係止面１３とを備えている。
【００４６】
さらに、前記留め金具４の両側面１１は複数のスリット１５により分割されて不撓側面部１６と可撓側面部１７に区分され、この可撓側面部１７は不撓側面部１６よりも断面コ字状の内部側に傾斜するとともにその先端部１８が不撓側面１６部の先端部１９よりも突出して形成される。この可撓側面部１７の先端部１８が前記胴縁３の底面５に押し当てられることで可撓側面部１７が撓み、その反力により前記係止突起１４を前記ストッパー８に弾性的に押し当てることができる。
【００４７】
また、前記留め金具４の底面１０の外側に、外装パネル２を挟込んでネジ３１により留め金具４の底面１０に押付けて固着する取付片２１を備え、この取付片２１は留め金具４と同幅で留め金具４に平行な略矩形の挟込部２１ａと、留め金具４から突起して挟込部２１ａの一辺と固着する突起部２１ｂとからなる。
【００４８】
そして、前記留め金具４の底面１０に前記ネジ３１用の穿孔穴３１ａを設け、この穿孔穴３１ａに対向して取付片２１の挟込２１ａ部に前記ネジ３１用の差込穴３１ｂを設ける。前記ネジ３１は穿孔穴３１ａに螺合する。
【００４９】
取付片２１と留め金具４の底面１０との間に隙間が形成されるが、取付片２１には座繰部２２が設けられるので、外装パネル２を受け入れる隙間Ｓは座繰部２２と底面１０との間に形成される。
【００５０】
ここで、外装パネル２は図示しない内部の断熱材を両側から薄肉の金属板層で被覆してなる金属サイディングが用いられる。外装パネル２の上端部２５には凸状の雄実２６が突設され、外装パネル２の裏面側の金属板層は雄実２６を超えて被取付片２７が突設（延設）される。
【００５１】
外装パネル２の下端部２８には凹状の雌実２９が設けられているので、隣接する外装パネル２の上端部２５の凸状の雄実２６と実結合することができる。さらに、この外装パネル２の下端部２８の裏面側には、留め金具４の取付片２１を収容するための切欠き３０が形成される。
【００５２】
そして、外装パネル２の被取付片２７は留め金具４の取付片２１と底面１０の間に挟み込まれるとともにビス等の固着具３１を穿孔穴３１ａに螺合することにより固着される。
【００５３】
なお、ここで胴縁３の主要寸法を、２側面６間の内距離がＲ１、両フランジ８ｂ間の隙間（開口３ａ）の距離がＲ２、側面６の外形高さがＨ１、フランジ８ｂと底面５間の開口距離がＨ２と表しておく。
【００５４】
＜留め金具４の詳細構造＞
図３、図４に示すように、断面コ字状の留め金具４の底面１０は例えば長さＬ１＝８０ｍｍ、幅Ｍ１＝４０ｍｍに形成され、底面１０に取付片２１が形成される。取付片２１の挟込部２１ａは底面１０の幅Ｍ１と同じ幅で略中央部３６から長さＮ２=略２６ｍｍの領域に、底面１０と平行に隙間Ｓ１＝１、８ｍｍで形成される。さらに挟込部２１ａの一辺に固着する突起部２１ｂを介して固着部２１ｃが略中央部３６から長さＬ４=略１６ｍｍの領域まで連続し、固着部２１ｃが底面１０に一対のネジ５７で固着される。
【００５５】
取付片２１の挟込部２１ａの略中心部（中央部３６から長さＮ３の位置）には外装パネル２取付け用の穿孔穴３１ａが形成される。さらに、挟込部２１ａの穿孔穴３１ａを囲む矩形の座繰部２２は深さＳ２＝１ｍｍで凹状リブ構造に形成される。
【００５６】
なお、外装パネル２の被取付片２７を挿入しやすくするために、取付片２１の自由端部３９から長さＳ４＝３ｍｍに亘って高さＳ３＝１、８ｍｍだけ間口が開いて形成される。
【００５７】
留め金具４の２側面１１には係止突起１４がそれぞれ３個合計６個突設され、
その取付け位置は、留め金具４の長手方向の中心位置と、一端部３５と他端部４０からそれぞれ長さＬ３＝１０ｍｍの位置に設けられる。いま各係止突起１４間の長手方向の距離がＬ２＝３０ｍｍなので、Ｌ２＞＞Ｌ３の関係に配置される。
【００５８】
係止突起１４は「半お椀形状」で、留め金具４が側面１１から突設する高さＱ１＝４ｍｍ、取付幅Ｑ２＝略８ｍｍ、取付け深さＱ３＝略４ｍｍであり、底面１０からの距離Ｑ４＝３、５ｍｍの位置に取付けられる。
【００５９】
留め金具４の２側面１１は、幅Ｐ３＝２ｍｍの４条のスリット１５によって、５分割され、一端部３５から順に、幅Ｐ１＝１８ｍｍの不撓側面部１６と幅Ｐ２＝１０ｍｍの可撓側面部１７が交互に配列される。ここで、スリット１５は底面１０から長さＹ＝８ｍｍの位置まで形成される。
【００６０】
図５に示すように、不撓側面部１６と可撓側面部１７のそれぞれの断面形状は異なる形状である。
【００６１】
不撓側面部１６の断面形状は、側面１１（幅Ｍ１＝４０ｍｍ）の位置で、高さＨ３＝１９ｍｍで、先端部１９は先端部１９から高さＨ４＝５ｍｍの位置５０のところから内側に長さＨ５＝１ｍｍだけ折れ曲がって（角度θ=略１０度）形成される。
【００６２】
可撓側面部１７の断面形状は、側面１１（幅Ｍ１＝４０ｍｍ）の位置で、高さＨ５＝２０ｍｍで形成され、不撓側面部１６に比べて長さＹ１＝１ｍｍ（Ｈ５ーＨ３）だけ側面１１が高い。そして、不撓側面部１６は底面１０から長さＹ＝８ｍｍの位置５１（スリット１５の上端５１に一致する）から内側に長さＨ７の位置５２まで折れ曲がって（角度θ=略１０度）形成される。このとき、位置５２は先端部１８から長さＨ６のところであり、不撓側面部１６における先端部１９から長さＨ４の位置と同レベル位置である。
【００６３】
さらに、位置５２から先端部１８にかけて長さＨ８折れ曲がって形成され、先端部１８には底面５に略平行な接触片５３（接触面）が長さＨ９=略５ｍｍで形成される。
【００６４】
このように、側面１１から先端部１８まで２度折れ曲がった合計長さは、Ｈ７＋Ｈ８＝２ｍｍに形成される。
【００６５】
なお、留め金具４に使用される板材は０、８ｍｍの鋼材が用いられる。
【００６６】
＜胴縁３と留め金具４の相対関係＞
上述(図１における)の胴縁３の主要寸法と留め金具４の相対関係において、係止突起１４を含めた留め金具４の幅寸法Ｍ５＝４８ｍｍは、胴縁３の両フランジ８ｂ間の隙間（開口３ａ）の距離Ｒ２より大きく、且つ胴縁３の２側面６間の内距離Ｒ１より小さく形成される。そして、不撓側面部１６の先端部１９から係止突起１４の係止面１３までの長さ（Ｈ３−Ｑ４）は胴縁３のフランジ８ｂと底面５間の開口距離Ｈ２と略同じ長さに形成される。また、不撓側面部１６の高さH３は胴縁３の側面６の外形高さＨ１と同じか少し高く形成される。
【００６７】
それぞれの関係を式で表すと、
Ｒ１＞Ｈ５＞Ｒ２  （Ｈ３−Ｑ４）≒Ｈ２  Ｈ３≧Ｈ１である。
【００６８】
＜外装パネル用の胴縁と留め金具の作用＞
図６に示すように、建築物の外壁本体１に設けられる外装パネル２は胴縁３に取付けられた留め金具４を介して、外壁本体１の下から上に向かって順番に横張りで組付けられる。
【００６９】
より詳しくは、上述のように、留め金具４を任意の位置で胴縁３に嵌着して、その留め金具４をスライド下降させて、留め金具４の取付片２１を外装パネル２の被取付片２７に被せる。そして、ビス等の固着具３１が底面１０の穿孔穴３１ａに螺合することにより被取付片２７と取付片２１を固着する。
【００７０】
さらに、次の外装パネル２を上から重ねる際に、下段の外装パネル２の上端部２５の凸状の雄実２６に、上段の下端部２８の凹状の雌実２９を被せて位置決めし、固着具３１によって被取付片２７と取付片２１は固着される。
【００７１】
このとき、取付片２１には座繰部２２が設けられるので固着具３１の頭は座繰部２２から突出しないとともに、次の外装パネル２の下端部２８の裏面側には留め金具４の取付片２１を収容するための切欠き３０が形成されるので、上下の外装パネル２は容易に重ねることができる。
【００７２】
なお、これ以外の座繰部２２の役割として、ビス等の固着具３１を外装パネル２に螺合して固着するときに、締め付け面圧を高めて固着効果を高めるという所謂座金効果もある。
【００７３】
さらに、外装パネル２（金属サイディング）の被取付片２７の先端部が、金属サイディングの薄肉の被覆金属板層で折り込まれて保護されているので、被取付片２７の先端部は被取付片２７の他の部分よりも折り込まれている分だけ厚肉部になるが、座繰部２２はこの厚肉部から逃げて被取付片２７（の他の部分）に当接することができるので、座繰部２２によって確実に被取付片２７を固着できるという効果を得ることができる。
【００７４】
ここで、図７に示すように、留め金具４を胴縁３に取付けるには、留め金具４を胴縁３にワンタッチで直接押し込むだけで完了する。ここで、押し込まれた留め金具４の側面１１に形成された係止突起１４が胴縁３のストッパー８に当接するが、係止突起１４に形成されたガイド面１２が曲面なので、係止突起１４は無理なくストッパー８を押し広げるので、連動して胴縁３の側面６も徐々に弾性的に撓みながら押し広げられる。
【００７５】
さらに、留め金具４を胴縁３に押し込む動作をつづけると、最終的に、係止突起１４がストッパー８を乗り越え、係止突起１４がストッパー８から離反するとともに、胴縁３の側面６が弾性的に元の位置まで復元する。
【００７６】
この動作中において、上述のように、可撓側面部１７の側面１１は高さＨ５＝２０ｍｍで、不撓側面部１６に比べて長さＹ１＝１ｍｍ（Ｈ５ーＨ３）だけ長いので、胴縁３の底面５には可撓側面部１７の先端部１８が当接する。
【００７７】
そして、可撓側面部１７は２段階に内側に折れ曲がっているので、容易に弾性的に撓むことができるので、その反力により留め金具４を係止突起１４（係止面１３）を介して胴縁３のストッパー８に常に安定して押し付けて係止させることができる。このように、可撓側面部１７のスプリング効果により可撓側面部１７の先端部１８と胴縁３の底面５との間に常時隙間が発生しないのでガタツキが生じない。
【００７８】
可撓側面部１７が、両側面１１に２箇所毎設けられているので、安定してスライドできる。可撓側面部１７により、留め金具４が任意の位置に保持できるので、仮止め時に留め金具４が胴縁３に沿って落下しないので、作業効率が向上する。
【００７９】
さらに、留め金具４がスライド可能なので、外装パネル２の熱伸縮によって生じる内部応力を逐次逃がすことができるので、外装パネル２の変形や取付部の破損が生じることがない。
【００８０】
＜外装パネル２と取付片２１の関係＞
図８（ａ）、（ｂ）、に示すように、外装パネル２の被取付片２７は取付片２１の挟込部２１ａと底面１０間にネジ等の固着具３１により一体的に固着されているので、負圧が掛かっても底面１０の剛性が高いため挟込部２１ａ（及び被取付片２７）が捲れては剥がれることがないので外装パネル２がはがれることがなくなる。
【００８１】
なお、前記留め金具４の底面１０に前記ネジ３１用の穿孔穴３１ａ（ネジよりも小さい径）を設け、この穿孔穴３１ａに対向して取付片２１の挟込２１ａ部に前記ネジ３１用の差込穴３１ｂ（ネジ径よりも大きい孔）を設けるので、ネジ３１は底面１０のみに羅合し、外装パネル２は底面１０と取付片２１にサンドイッチ状態に挟み込まれるので、ガタの生じない状態で固着することができる。
【００８２】
以上、本発明の実施形態を図面に基づいて説明したが、上記の実施例はいずれも本発明の一例を示したものであり、本発明はこれらに限定されるべきでないということはいうまでもない。
【００８３】
穿孔穴３１ａに螺合するネジ３１は（ネジ付き）ボルトでもよい。
【図面の簡単な説明】
【００８４】
【図１】本発明の実施形態における、建築物の外壁本体に設けられる外装パネル用の胴縁と留め金具の構造を示す断面透視図である。
【図２】本発明の実施形態における、図１のＡ−Ａ矢視図である。
【図３】本発明の実施形態における、留め金具の平面図である。
【図４】本発明の実施形態における、図３のＢ−Ｂ矢視図である。
【図５】本発明の実施形態における、図４のＣ−Ｃ矢視図である。
【図６】本発明の実施形態における、建築物の外壁本体に設けられる外装パネル用の胴縁と留め金具の配置を示す斜視図である。
【図７】本発明の実施形態における、胴縁に留め金具を挿入する状態を示す断面図である。
【図８】(ａ)は、本発明の実施形態における、留め金具の斜視図、（ｂ）は、外装パネル２が留め金具４の取付片２１と底面１０により挟込んで固着される状態を示す断面図である。
【図９】従来の、建築物の外壁本体に設けられる外装パネル用の胴縁と留め金具の構造を示す断面図である。
【図１０】従来の、留め金具の構造を示す斜視図である。
【図１１】（ａ）は、既に提案されている、建築物の外壁本体に設けられる外装パネル用の留め金具の斜視図、（ｂ）は、外装パネルと留め金具４の取付片との固着構造を示す断面図、（ｃ）は、外装パネルに負圧が掛かった状態を示す断面図である。
【符号の説明】
【００８５】
１  外壁本体
２  外装パネル
３  胴縁
３ａ  開口
４  留め金具
５  底面
６  側面
７  開口端部
８  ストッパー
１０  底面
２１  取付片
２１ａ  挟込部
２１ｂ  突起部
３１  ネジ
３１ａ  穿孔穴
３１ｂ  差込穴
【図１】
2006152579.tif 000003
【図２】
2006152579.tif 000004
【図３】
2006152579.tif 000005
【図４】
2006152579.tif 000006
【図５】
2006152579.tif 000007
【図６】
2006152579.tif 000008
【図７】
2006152579.tif 000009
【図８】
2006152579.tif 000010
【図９】
2006152579.tif 000011
【図１０】
2006152579.tif 000012
【図１１】
2006152579.tif 000013